(57)【特許請求の範囲】
【請求項１】
光源となるＬＥＤユニットと、それを点灯させる電源装置と、前記ＬＥＤユニットと前記電源装置とが取り付けられる伝熱性の本体と、を備えたＬＥＤ照明装置において、
前記本体は盤体形状であり、該本体の上面部には凸状の外縁部と中央部に集水凹部が形成されるとともに、これら外縁部と集水凹部には、ＬＥＤ照明装置を設置する被取付部に向かって下り勾配の傾斜が形成され、
前記本体の前記外縁部の内部側に前記ＬＥＤユニットが配置され、前記集水凹部の内部側に前記電源装置が配置されており、これらＬＥＤユニットと電源装置の発熱を前記本体に伝熱することを特徴とするＬＥＤ照明装置。
【請求項２】
前記集水凹部における前記被取付部側の端部に排水部を形成したことを特徴とする請求項１に記載のＬＥＤ照明装置。
【請求項３】
前記排水部は、前記本体の前記外縁部を形成しない解放部分であることを特徴とする請求項２に記載のＬＥＤ照明装置。
【請求項４】
前記本体の内部側の略中央部に、ＬＥＤ照明装置を設置した直下付近を照射するＬＥＤユニットを配置し、該ＬＥＤユニットの発熱を前記本体に伝熱することを特徴とする請求項１〜請求項３のいずれかに記載のＬＥＤ照明装置。
【発明の詳細な説明】
【技術分野】
【０００１】
本発明は、ＬＥＤ素子を光源に使用したＬＥＤ照明装置に関し、特に屋外に使用するＬＥＤ照明装置に関するものである。
【背景技術】
【０００２】
従来より、屋外に設置された屋外用照明器具において、積雪の多い寒冷な地方では、照明器具上面に雪が積もっている際には、照明器具本体上部がランプの熱により暖められるので、積もった雪が融けて水となり、水垂れ部分から水が垂れて、そのまますぐに垂れ落ちれば良いが、すぐに垂れ落ちないため、該水垂れ部分から垂れた水が外気により冷却されることにより、水垂れ部分に氷柱ができてしまうことがあった。
【０００３】
そして、このような氷柱が成長していった場合、同氷柱が自重に耐え切れず落下した際には、人に危害を及ぼしてしまう可能性があり非常に危険であった。
【０００４】
屋外用照明器具において、雨水や雪解け水が垂れ落ちる水垂れ部分を０度以上に常に維持するために発熱体を設けて、氷柱防止対策を施した技術がある（特許文献１）。また、水垂れ部分の上側に雪を浮かせて保持する雪保持部材を設けて、氷柱防止対策を施した技術がある（特許文献２）。
【先行技術文献】
【特許文献】
【０００５】
【特許文献１】特開２００２−１５０８０７号公報
【特許文献２】特開２００２−１５０８０８号公報
【発明の概要】
【発明が解決しようとする課題】
【０００６】
しかしながら、このような屋外用照明器具においては、氷柱防止用の部品（発熱体、雪保持部材）を設ける必要があり、製造コストが高くなるという課題があった。また、発熱体が故障した場合、水滴落下箇所の温度が氷点下となり氷柱が発生してしまうという課題もあった。
【０００７】
本発明は、上述の事実に鑑みてなされたものであって、氷柱防止用の部品を特別に設けることなく、水垂れ部分に生じやすい氷柱を防止することができる屋外用照明器具を提供することを目的とする。
【課題を解決するための手段】
【０００８】
上記課題を解決するために、請求項１に記載の発明にあっては、光源となるＬＥＤユニットと、それを点灯させる電源装置と、前記ＬＥＤユニットと前記電源装置とが取り付けられる伝熱性の本体と、を備えたＬＥＤ照明装置において、
前記本体は盤体形状であり、該本体の上面部には凸状の外縁部と中央部に集水凹部が形成されるとともに、これら外縁部と集水凹部には、ＬＥＤ照明装置を設置する被取付部に向かって下り勾配の傾斜が形成され、
前記本体の前記外縁部の内部側に前記ＬＥＤユニットが配置され、前記集水凹部の内部側に前記電源装置が配置されており、これらＬＥＤユニットと電源装置の発熱を前記本体に伝熱することを特徴とする。
【０００９】
また請求項２の発明にあっては、前記集水凹部における前記被取付部側の端部に排水部を形成したことを特徴とする。
【００１０】
また請求項３の発明にあっては、前記排水部は、前記本体の前記外縁部を形成しない解放部分であることを特徴とする。
【００１１】
また請求項４の発明にあっては、前記本体の内部側の略中央部に、ＬＥＤ照明装置を設置した直下付近を照射するＬＥＤユニットを配置し、該ＬＥＤユニットの発熱を前記本体に伝熱することを特徴とする。
【発明の効果】
【００１２】
本発明の照明器具によれば、排水性と放熱性が良好になり、ＬＥＤ基板や電源基板から伝わってきた照明器具上面の熱により雪を融かし、その雪融け水を照明器具上面に設けられた集水凹部に導引し、集水凹部の端部から平滑に排水するため、照明器具の外周から雪融け水が垂れ落ちて氷柱になることを防止できる。
【００１３】
また、照明器具から放熱される熱を利用して照明器具上部に積もった雪を融かしたり、氷柱の発生を防ぐため、発熱体や雪保持部材等が不要である。
【図面の簡単な説明】
【００１４】
【図１】本発明の照明器具の部品構成図である。
【図２】同上の外観斜視図であり、（ａ）は上からの斜視図、（ｂ）は下からの斜視図である。
【図３】同上の排水についての説明図であり、（ａ）は図２記載のＡ−Ａ'の線断面図、（ｂ）は外観斜視図である。
【図４】同上の本体内壁側の外観斜視図である。
【図５】同上のＬＥＤユニットの図であり、（ａ）は外観斜視図、（ｂ）は部品構成図、（ｃ）は同図記載のＢ−Ｂ'の線断面図である。
【図６】同上のカバーを外した状態での図２記載のＡ−Ａ''の線断面図である。
【発明を実施するための形態】
【００１５】
以下に、本発明に係る照明器具の実施形態を図面に基づいて説明する。
【００１６】
図１は本発明に係る照明器具の部品構成図である。図１に示すように、本発明の照明器具は本体１と、この本体１の内部に電源装置５と点灯制御装置６が固定され、それらを保護して覆うインナーカバー３が本体１内部に設けられた固定用ボス（不図示）に螺設されている。そのインナーカバー３を介し、ＬＥＤユニット４１〜４５及び、４２'〜４５'からなり、広範囲に渡って光を照射するＬＥＤユニット群４が本体１の内壁側に固定されている。またＬＥＤユニット４６は、インナーカバー３に設けられたＬＥＤユニット固定部３１に取付けられ、この照明器具の直下付近に光を照射する。本体１の下部には、本体１内部に固定された前記各部材を覆う透光性カバー２が固定される。
【００１７】
インナーカバー３は合成樹脂を使用して成形され、３箇所に中空筒状の突状部３ａ、３ｂ（残る１箇所は図１では不図示）が設けられ、それらの底部には固定用のネジが貫通するためのネジ穴（不図示）が設けられており、このネジ穴を用いて、本体１内部に設けられた固定用ボス（不図示）に螺設される。図３（ａ）の断面図に示す通り、インナーカバー３は突状部３ｂを介して本体１の固定用ボス１ｄに螺設され、本体１の内部に固定された電源装置５と点灯制御装置６と、ＬＥＤユニット４１の上部に備えられたコネクタ、さらにそれらを電気的に接続するための配線を覆っている。なお、図３（ａ）を用いた説明では、ＬＥＤユニット４１だけを取り上げているが、照明器具全体としては、各ＬＥＤユニットに設けられたコネクタ（コネクタについては、図５（ｂ）に示すコネクタ４３ｍ、図６に示すコネクタ４６ｍを参照）がインナーカバー３により覆われている。インナーカバー３はコネクタを覆うためＬＥＤユニット４１〜４５及び、４２'〜４５'の照射を妨げることはない。
【００１８】
図６に示す通り、インナーカバー３の略中央部にＬＥＤユニット４６の取付部３１が設けられており、背面側である取付支柱８（図２、図３）とは反対方向に照射するように傾斜させて形成され、その傾斜部の一端で本体１に固定するための突状部３ａの近くには挿通孔３１ａが設けられている。ＬＥＤユニット４６の基板支持体４６ｃ（基板支持体については後述する）の平板状の支持部４６ｉの一端を略「く」字状に屈曲させ成形した固定部４６ｊは、その挿通孔３１ａを通し本体１に設けられた固定部１１ｆに固定ネジで固定される。
【００１９】
ＬＥＤユニット４６のコネクタ４６ｍから電源５に接続される配線は照射方向には出さず、図１に示される挿通孔３１ａを通してインナーカバー３の裏側に引き込むため、ＬＥＤユニット４６の照射を妨げず、美観を損ねることもない。
【００２０】
上記の通り、本体１に取付けられたインナーカバー３は、本体１の内部に固定された電源装置５と点灯制御装置６と、各ＬＥＤユニットの上部に備えられたコネクタ、さらにそれらを電気的に接続するための配線を覆っているので、取付支柱８に本発明の照明器具が取付けられ、それを下から見上げたとき、インナーカバー３によってＬＥＤユニット以外は目視できないので美観を損ねることがない。
【００２１】
図２は外観斜視図であり、（ａ）は上から見た外観斜視図、（ｂ）は下から見た外観斜視図である。この照明用器具は、本体１の後面に取付けられた取付金具９によって、ポール等の取付支柱８（被取付部）に取付けられる。
【００２２】
本体１は全体が概略半円盤形状であり、熱伝導率の高いアルミニウム等により成形されている。本体１の上部は、図３（ａ）に矢印で示すように、凸状の外縁部１ａが形成され、中央部に集水凹部１ｂが形成されている。これら外縁部１ａ、集水凹部１ｂは、全体が外縁部１ａから背面側である取付支柱８の方向にかけて下り勾配の傾斜で形成され、図３（ｂ）に示すように、漏斗形状に形成されている。また、光源からの照射を妨げないようにＬＥＤユニットが配置されていない集水凹部１ｂの取付支柱８側の端部は、外縁部１ａが形成されることなく解放されており、その解放部分が排水部１ｃとなっている。したがって、外縁部１ａ付近の水は図３（ｂ）に示す矢印のように、集水凹部１ｂに集まり、排水部１ｃから排水されるため、照明器具の外縁部１ａから雨や雪解け水が垂れ落ちることがない。
【００２３】
器具本体１の内面で外縁部1ａの裏面には、図４に示すように、ＬＥＤユニット４１〜４６及び、４２'〜４５'を取付けるためのＬＥＤユニット固定部１１ａ〜１１ｅと１１ｂ'〜１１ｅ'が外縁部１ａに沿って並設されるとともに、略中央部にはＬＥＤユニット４６を取り付けるためのＬＥＤユニット固定部１１ｆが設けられている。これらＬＥＤユニット固定部１１ａ〜１１ｅ、１１ｂ'〜１１ｅ'及び１１ｆは、縦横のリブ材で構成され、所定位置には固定穴１１ｃ'、１１ｃ''が設けられており、器具本体１と一体成形されている。
【００２４】
図５を用いて、各ＬＥＤユニット４１〜４６及び、４２'〜４５'の構造について説明する。尚、ＬＥＤユニットの構造についての説明は、各ＬＥＤユニットが同じ構造であるため、ＬＥＤユニット４３を代表例として行う。図５（ｂ）は、ＬＥＤユニット４３の部品構成図であり、ＬＥＤ素子１００が実装されたＬＥＤ基板４３ｂは、反射体４３ａと基板支持体４３ｃに挟持され、基板支持体４３ｃの支持部４３ｉに設けられたネジ穴４３ｅからＬＥＤ基板４３ｂのネジ穴４３ｆを介し、反射体４３ａの裏側に設けられたボス４３ｇにネジ４３ｄにより固定される。
【００２５】
反射体４３ａは高反射率の添加材が配合された合成樹脂で成形、または、耐熱性の良好な合成樹脂で成形された後、アルミ蒸着メッキなどのメッキ加工を施し反射率を高められる。反射体４３ａはＬＥＤ基板４３ｂ上に実装された各ＬＥＤ素子１００の発光面が露出するように開口部を有し、各ＬＥＤ素子１００を囲うように回転放物面で形成されている反射部４３ｈを備えている。この反射体４３ａにより、配光が制御されている。
【００２６】
基板支持体４３ｃは熱伝導率の高いアルミニウム等で造られており、平板状の支持部４３ｉの一端を略「く」字状に屈曲して固定部４３ｊを形成している。固定部４３ｊにはネジ穴４３ｋ、４３ｋ'が設けられ、図４に示すように、器具本体１の内面に設けられたＬＥＤユニット固定部に設けられた固定穴１１ｃ'、１１ｃ''にネジ（図示しない）により固定される。
【００２７】
器具本体１の内面であり外縁部１ａの裏面に設けられたＬＥＤユニット固定部１１ｃに、ＬＥＤユニット４３が固定されＬＥＤ基板４３ｂに実装された各ＬＥＤ素子１００が点灯し発熱すると、基板支持体４３ｃにその熱が伝導し、更に、ＬＥＤユニット固定部１１ｃに伝導し、最後に器具本体１に伝導する。ＬＥＤユニット群４を構成するＬＥＤ基板４３ｂの他のＬＥＤユニット４１、４２、４２'、４３'、４４、４４'、４５、４５'４６も同様にＬＥＤが点灯時に発熱し、その熱が器具本体１に伝導する。
【００２８】
電源装置５は器具本体１の内面の電源装置固定部１１ｇにネジ（図示しない）によって密着して固定される。
【００２９】
器具本体１の内面であり、集水凹部１ｂの裏面の電源装置固定部１１ｇに固定された電源装置５も、ＬＥＤ素子１００へ電力を供給するに伴い発熱し、その熱は器具本体１に伝導する。
【００３０】
以上より、器具本体１に雪が積もっている場合、ＬＥＤユニット群４が集水凹部１ｂの外縁部１ａに沿って器具本体１の内部に固定され、電源装置５が集水凹部１ｂの略中央に固定されることで、ＬＥＤユニット群４と電源装置５によって器具本体１の上部である集水凹部１ｂの外縁部１ａも含め略全面を暖められ、外縁部１ａを含め集水凹部１ｂに積もった雪を融かし、その雪融け水は集水凹部１ｂに導引された後、排水部１ｃから排水される。雪融け水は排水部１ｃから平滑に流れ落ち、また、器具本体１がＬＥＤユニットや電源装置からの熱により氷点より高温になっているため、氷柱の発生を防止できる。
【符号の説明】
【００３１】
１    器具本体
１ａ  外縁部
１ｂ  集水凹部
１ｃ  排水部
１１ａ〜１１ｅ、１１ｂ'〜１１ｅ'、１１ｆ及び１１ｇ    ＬＥＤユニット固定部
２    カバー
３    インナーカバー
４    ＬＥＤユニット群
４１〜４６と４２'〜４５'    ＬＥＤユニット
５    電源装置
【要約】
【課題】
氷柱防止用の部品を設けることなく、水垂れ部分に生じやすい氷柱を防止することができる屋外用照明器具を提供することを目的とする。
【解決手段】
ＬＥＤ照明装置の本体上部が、本体の取付部の方向に傾斜し、また、内部に取付けられるＬＥＤユニット及び電源装置が発生する熱により加温されることで氷柱の発生を防止する。
【選択図】図３【図１】
0005479568.tif 000002
【図２】
0005479568.tif 000003
【図３】
0005479568.tif 000004
【図４】
0005479568.tif 000005
【図５】
0005479568.tif 000006
【図６】
0005479568.tif 000007